(57)【特許請求の範囲】
【請求項１】
使用者が載る荷重支持手段を含む第１のユニットと、
情報を表示する表示手段及び操作指示情報を入力する操作手段を含み、前記第１のユニットに着脱自在に設けられた第２のユニットと、
前記第１のユニット及び第２のユニットを有線で接続して信号を伝送する有線伝送手段と、
前記第１のユニットに設けられた使用者の体重を検出するための体重検出手段と、
前記第１のユニット及び第２のユニットの少なくともいずれか一方に設けられた使用者の身体に電流を印加するための電流印加用電極と、
前記第１のユニット及び第２のユニットの少なくともいずれか一方に設けられた使用者の身体に印加された電流によって生じる身体抵抗電位を測定するための電圧測定用電極と、
前記体重検出手段の検出結果と前記身体抵抗電位の測定値とに基づいて健康管理に有益な指針情報を算出する演算手段と、
を有する健康管理指針アドバイス装置であって、
前記第１のユニットは、前記有線伝送手段を受け入れる開口部と、該開口部から受け入れられた前記有線伝送手段を収納する有線伝送手段収納部と、を有し、
前記第２のユニットは、使用者が左右それぞれの手で保持する二つの保持部を有し、
前記有線伝送手段は、前記二つの保持部のほぼ中央において前記第２のユニットに接続されており、
前記荷重支持手段が上方に向くように設置された第１のユニットは、前記第２のユニットを下方から支持する支持手段と、該支持手段との間で前記第２のユニットを挟持する挟持手段とを有し、
前記支持手段と挟持手段との間隔は、前記第２のユニットが取り外される方向に向けて狭くなるように設定されている健康管理指針アドバイス装置。
【請求項２】
前記第２のユニットは、前記二つの保持部間に配置され前記有線伝送手段が接続される基部を有し、
前記第１のユニットに装着される前記第２のユニットの基部は、前記開口部側に突出する形状を有する請求項１に記載の健康管理指針アドバイス装置。
【請求項３】
前記第１のユニットに対する前記第２のユニットの着脱動作時及び使用時を通じて、
前記有線伝送手段の周方向及び延長方向の少なくともいずれかにおける前記第１のユニットと前記第２のユニットの相互の姿勢が一定の関係に保持される請求項１又は２に記載の健康管理指針アドバイス装置。
【請求項４】
前記有線伝送手段は螺旋状に巻回された巻き部を有し、
前記荷重支持手段が上方を向くように設置された前記第１のユニットに前記第２のユニットを装着する状態における該第２のユニット側の端部近傍において、前記有線伝送手段の前記巻き部の螺旋の中心が少なくとも前記第２のユニット側の端部よりも下方に位置する請求項１乃至３のいずれかに記載の健康管理指針アドバイス装置。
【請求項５】
前記有線伝送手段は、前記第１のユニット側の端部に、曲げに対する弾性を有し直線状に延びる直線部を有する請求項１乃至４のいずれかに記載の健康管理指針アドバイス装置。
【請求項６】
前記有線伝送手段の第１のユニット側の端部は前記開口部の近傍に接続され、前記有線伝送手段は第１のユニット側の端部から前記開口部とは反対側に延びる請求項１乃至５のいずれかに記載の健康管理指針アドバイス装置。
【請求項７】
前記支持手段は前記開口部に臨んで設けられ、
前記荷重支持手段が上方に向くように前記第１のユニットが設置された状態で、前記支持手段は前記第２のユニットが取り外される方向に向けて上方に傾斜し、前記有線伝送手段収納部は前記開口部から内部へと下方に傾斜する請求項１乃至６のいずれかに記載の健康管理指針アドバイス装置。
【請求項８】
前記第１のユニットは、前記有線伝送手段収納部と前記荷重支持手段とは反対側の外部とを連通させる孔を有する請求項１乃至７のいずれかに記載の健康管理指針アドバイス装置。
【請求項９】
前記支持手段は、前記第１のユニットの前記荷重支持手段とは反対側を覆う外装部材と一体に形成されている請求項１乃至８のいずれかに記載の健康管理指針アドバイス装置。
【請求項１０】
前記支持手段は、前記有線伝送手段との接触面の摩擦抵抗を低減させる摩擦抵抗低減手段を備える請求項１乃至９のいずれかに記載の健康管理指針アドバイス装置。
【請求項１１】
前記支持手段は、前記第２のユニットの取り外し方向に対して交差し、取り外そうとする前記第２のユニットからの力を受ける受け部を有する請求項１乃至９のいずれかに記載の健康管理指針アドバイス装置。
【請求項１２】
前記体重検出手段は、複数の体重センサを含み、
前記複数の体重センサは、前記荷重支持手段の反対側において接地可能に配置され、
前記有線伝送手段収納部は前記複数の体重センサに囲まれた領域に設けられている請求項１乃至１１のいずれかに記載の健康管理指針アドバイス装置。
【発明の詳細な説明】
【０００１】
【発明の属する技術分野】
本発明は、体重を測定するとともに体脂肪率等の健康管理に有益な指針情報を提供する健康管理指針アドバイス装置に関する。
【０００２】
【従来の技術】
従来、体重と体脂肪率を測定する装置としては、体脂肪率測定部が体重計に一体的に組み込まれたもの、片手で握る電極部のみが体重計部から独立したハンドグリップ部に設けられたもの、体重計部と測定者が両手で握る体脂肪計部とが独立し無線方式で結ばれているものがあった。
【０００３】
しかしながら、体脂肪率測定部が体重計に一体的に組み込まれた装置では、体脂肪率算出の基礎となる人体のインピーダンス測定のための電極が体重計の上部の足を載せる部分に設けられている。このような装置では、両足間のインピーダンスに基づいて体脂肪率が算出されることとなるため、全身の体脂肪率を測定しているとは言いがたいものであった。
【０００４】
また、片手で握る電極部のみが体重計部から独立したハンドグリップ部に設けられた装置では、インピーダンス測定のための電極が体重計上部とハンドグリップ部に設けられている（特開２０００−３３３９２５号公報参照）。このような装置では、片手と両足間のインピーダンスが測定されるので、より全身の体脂肪率を測定していると言える。しかし、ハンドグリップ部には電極のみが設けられ、必要なデータや装置に対する指示を入力すための操作部や体重や体脂肪率等を表示する表示部は体重計部に設けられているため、測定者が身長,体重等の個人データを設定するときや測定時に操作が煩わしく、また表示部を見づらかった。
【０００５】
これに対して、体重計部と測定者が両手で握る体脂肪計部とが独立し無線方式で結ばれている装置では、表示部は体脂肪計測定部に設けられているため、表示部の視認性を向上させることができた。
【０００６】
【発明が解決しようとする課題】
しかしながら、このように体脂肪計測定部と体重計部との両ユニットが独立している装置では、不使用時の収納性に配慮する必要があった。
【０００７】
既述の、片手で握るハンドグリップ部のみが体重計部から独立した装置では、ハンドグリップ部の収納部を体重計部本体の前方に突出させて設けているが、このために、収納部の分だけ装置が大型化していた。さらに、この装置では、ハンドグリップ部と体重計部とを接続するカールコードが容易に変形し、形状が安定しないために、カールコードを含めたハンドグリップ部の収納性は好ましいものではなかった。
【０００８】
これに対して、視認性を向上させるべくハンドグリップ部に表示部を一体化させた改良型の装置が提案されている。しかし、この装置では、体重計部の表示部を兼用するために、ハンドグリップ部の表示部を体重計部本体の前部に設けられた収納部に収納している。従って、収納部の分だけ体重計部本体が大型化するとともに、ハンドグリップ部の電極部が体重計部の前方に突出するために装置全体も大型化するという問題点があらたに生じる一方で、カールコードを含めた収納性は依然として好ましいものではなかった。
【０００９】
本発明は、かかる従来技術の課題を解決するためになされたものであって、その目的とするところは、操作部の操作性及び表示部の視認性に優れるとともに収納性が高く、また、使い勝手が良く安定した測定が可能な健康管理指針アドバイス装置を提供することにある。
【００１０】
【課題を解決するための手段】
上記目的を達成するために本発明は、使用者が載る荷重支持手段を含む第１のユニットと、情報を表示する表示手段及び操作指示情報を入力する操作手段を含み、前記第１のユニットに着脱自在に設けられた第２のユニットと、前記第１のユニット及び第２のユニットを有線で接続して信号を伝送する有線伝送手段と、前記第１のユニットに設けられた使用者の体重を検出するための体重検出手段と、前記第１のユニット及び第２のユニットの少なくともいずれか一方に設けられた使用者の身体に電流を印加するための電流印加用電極と、前記第１のユニット及び第２のユニットの少なくともいずれか一方に設けられた使用者の身体に印加された電流によって生じる身体抵抗電位を測定するための電圧測定用電極と、前記体重検出手段の検出結果と前記身体抵抗電位の測定値とに基づいて健康管理に有益な指針情報を算出する演算手段と、を有する健康管理指針アドバイス装置であって、前記第１のユニットは、前記有線伝送手段を受け入れる開口部と、該開口部から受け入れられた前記有線伝送手段を収納する有線伝送手段収納部と、を有し、前記第２のユニットは、使用者が左右それぞれの手で保持する二つの保持部を有し、前記有線伝送手段は、前記二つの保持部のほぼ中央において前記第２のユニットに接続されている健康管理指針アドバイス装置である。
【００１１】
このようにすれば、使用者が載る第１のユニットに着脱自在な第２のユニットに表示部及び操作手段が設けられているので操作性及び視認性に優れるとともに使い勝手が良い。また、有線伝送手段を開口部から有線伝送手段収納部に収納することができるので収納性が高い。また、有線伝送手段が確実に収納されることにより、有線伝送手段の接地による体重測定誤差の発生を防止することもでき、正確な測定が可能となる。さらに、有線伝送手段から第２のユニットに対して引っ張り力が作用しても保持部を保持する両手のバランスが崩れることが無く、安定した測定が可能となる。
【００１２】
前記第２のユニットは、前記二つの保持部間に配置され前記有線伝送手段が接続される基部を有し、前記第１のユニットに装着される前記第２のユニットの基部は、前記開口部側に突出する形状を有することが好ましい。
【００１３】
このようにすれば、第２のユニットを第１のユニットに装着する際に、基部の突出部で有線伝送手段を開口部から有線伝送手段収納部に収納することができるので、収納が簡便で使い勝手が良い。
【００１４】
前記第１のユニットに対する前記第２のユニットの着脱動作時及び使用時を通じて、前記有線伝送手段の周方向及び延長方向の少なくともいずれかにおける前記第１のユニットと前記第２のユニットの相互の姿勢が一定の関係に保持されることが好ましい。
【００１５】
ここで、有線伝送手段の周方向における第１のユニットと第２のユニットの相互の姿勢とは有線伝送手段の延長方向を軸とした場合の回転方向の相対的な空間関係であり、これが一定に保持されることにより、第２のユニットを第１のユニットから取り外して、使用し、再度装着する動作を行っても有線伝送手段がねじれることがない。また、有線伝送手段の延長方向における第１のユニットと第２のユニットの相互の姿勢とは有線伝送手段の延長方向における相対的な空間関係であり、これが一定に保持されることにより、第２のユニットを第１のユニットから取り外して、使用し、再度装着する動作を行っても有線伝送手段が第２のユニットにからまることがない。従って、有線伝送手段がねじれたり、からまったりすることによる収納性の低下を防止することができる。また、ねじれたり、からまったりした有線伝送手段による引っ張り力によって第２のユニットが重くなったかのような状態となり、使用者の測定姿勢が安定しなくなる。
【００１６】
前記有線伝送手段は螺旋状に巻回された巻き部を有し、前記荷重支持手段が上方を向くように設置された前記第１のユニットに前記第２のユニットを装着する状態における該第２のユニット側の端部近傍において、前記有線伝送手段の前記巻き部の螺旋の中心が少なくとも前記第２のユニット側の端部よりも下方に位置することが好ましい。
【００１７】
このようにすれば、第２のユニットの近傍において有線伝送手段が下方に位置することとなり底面に沿って容易に収納することができる。
【００１８】
前記有線伝送手段は、前記第１のユニット側の端部に、曲げに対する弾性を有し直線状に延びる直線部を有することが好ましい。
【００１９】
このようにすれば、第２のユニットを取り外し、有線伝送手段を引き出したときの曲げに対する弾性変形の復原力を有線伝送手段の収納に利用することができるので、簡便に収納を行うことができる。
【００２０】
前記有線伝送手段の第１のユニット側の端部は前記開口部の近傍に接続され、前記有線伝送手段は第１のユニット側の端部から前記開口部とは反対側に延びることが好ましい。
【００２１】
このようにすれば、開口部側から有線伝送手段収納部の奥側に向けて整然と有線伝送手段を収納することができ、収納性が向上する。
【００２２】
前記荷重支持手段が上方に向くように設置された第１のユニットは、前記第２のユニットを下方から支持する支持手段と、該支持手段との間で前記第２のユニットを挟持する挟持手段とを有し、前記支持手段と挟持手段との間隔は、前記第２のユニットが取り外される方向に向けて狭くなるように設定されていることが好ましい。
【００２３】
このようにすれば、第２のユニットをより強固に固定することができる。第２のユニットが安定して固定されることにより、持ち運び時に不用意に落ちて第２のユニットが破壊されることがなくなる。
【００２４】
前記支持手段は前記開口部に臨んで設けられ、前記荷重手段が上方に向くように前記第１のユニットが設置された状態で、前記支持手段は前記第２のユニットが取り外される方向に向けて上方に傾斜し、前記有線伝送手段収納部は前記開口部から内部へと下方に傾斜することが好ましい。
【００２５】
このように傾斜をつければ、有線伝送手段を容易に有線伝送手段収納部内に移動させることができ、簡便に収納できる。
【００２６】
前記第１のユニットは、前記有線伝送手段収納部と前記荷重支持手段とは反対側の外部とを連通させる孔を有することが好ましい。
【００２７】
このような孔を設ければ、風呂上りの水等が有線伝送手段収納部に侵入した場合でもこの孔から外部に排出することができ、有線伝送手段が浸水することがない。
【００２８】
前記支持手段は、前記第１のユニットの前記荷重支持手段とは反対側を覆う外装部材と一体に形成されていることが好ましい。
【００２９】
このようにすれば、部品点数を削減することができる。
【００３０】
前記支持手段は、前記有線伝送手段との接触面の摩擦抵抗を低減させる摩擦抵抗低減手段を備えることが好ましい。
【００３１】
このようにすれば、支持手段上を有線伝送手段が容易に移動することできるので、簡単かつすばやく有線伝送手段を収納することができる。
【００３２】
前記支持手段は、前記第２のユニットの取り外し方向に対して交差し、取り外そうとする前記第２のユニットからの力を受ける受け部を有することが好ましい。
【００３３】
このようにすれば、第２のユニットを取り外そうとする力を受け部が受けることによって支持手段が第２のユニットから離間する方向に撓み、取り外しが容易になる。
【００３４】
前記荷重支持手段の反対側において接地可能に複数個の前記体重センサが配置され、前記有線伝送手段収納部は前記複数の体重センサに囲まれた領域に設けられていることが好ましい。
【００３５】
第１ユニット内部に有線伝送手段を収納するための領域を設けることができるので、収納性が向上するとともに装置の小型化が可能となる。
【００３６】
【発明の実施の形態】
以下、本発明を図示の実施形態に基づいて説明する。
【００３７】
（第１の実施形態）
まず、健康管理指針アドバイス装置の各部の構成及び使用方法について概説し、次に、各部の詳細な構成について説明する。
【００３８】
図１は、本発明の実施形態に係る健康管理指針アドバイス装置の収納時の外観を示し、図２は、その使用時の外観を示す。
【００３９】
健康管理指針アドバイス装置１は、体重計部２と、体重計部２に対して着脱自在に設けられた体脂肪計部３と、体重計部２と体脂肪計部３とを接続するカールコード４とを備える。
【００４０】
第１のユニットとしての体重計部２は、設置面に沿って扁平な略直方体形状をなし、上面及び側面はトップカバー（荷重支持手段）２１によって覆われている。上面部２１１には、電極が前後方向に略平行に左右一対設けられている（使用者が体重計部２の上面に載り、体重を測定する場合には、図１の紙面下方側に踵が位置し、上方につま先が位置することとなるので、使用者の身体を基準として体重計部２の前後左右を規定する。）。体重計部２の上面部２１１の前側に左右一つずつ配置されている電極が電流電極部（電流印加用電極）２２１，２２２であり、後側に左右一つずつ配置されている電極が電圧電極部（電圧測定用電極）２３１，２３２である。また、体重計部２の下側の四隅には、四つの体重センサが配置されている。
【００４１】
第２のユニットとしての体脂肪計部３は、表示部（表示手段）３１１を有する基部３１と、基部３１から左右に延設された略円柱状のグリップ部（保持部）３２１，３２２を備える。グリップ部３２１，３２２は、基部３１を中心として若干屈曲して配置されている。左右のグリップ部３２１，３２２の周面の前側に沿って電極が設けられている（体脂肪計部３は表示部３１１が使用者に正対するようにグリップ部３２１，３２２を握る状態で使用者に正対する側を前側、使用者と反対側を後側、使用者の頭側を上側、足側を下側とする。）。左右のグリップ部３２１，３２２の基部側には電流電極部（電流印加用電極）３３１，３３２が、端部側には電圧電極部（電圧測定用電極）３４１，３４２がそれぞれ一つずつ配置される。また、体脂肪計部３には、操作指示情報を入力するためのボタン等の入力手段を含む操作部３６６が基部３１に設けられる。
【００４２】
体重計部２と体脂肪計部３とを接続するカールコード（有線伝送手段）４は、一方の端部が体脂肪計部３の基部３１の端面に接続され、他方の端部は体重計部２内部に設けられたコード収納部２１２内において体重計部２に接続されている。図３に示すように、収納時には、カールコード４はコード収納部（有線伝送手段収納部）２１２に収納される。このように体脂肪計部３と体重計部２を有線で接続することにより、より安価に装置を構成することができる。
【００４３】
図４に、健康管理指針アドバイス装置１の内部構成の概略を示す。
【００４４】
体重計部２は、主として、体重センサ２４１、プリアンプ２４２、Ａ／Ｄ変換器２４３、電流電極部２２１，２２２、電圧電極部２３１，２３２、電池収納部２４４、電源スイッチ２４５を備える。一方、体脂肪計部３は、主として、電流電極部３３１，３３２、定電流回路３６１、ローパスフィルタ３６２、電圧電極部３４１，３４２、差動増幅回路３６３、Ａ／Ｄ変換器３６４、制御・演算部（演算手段）３６５、表示部３１１、操作部３６６、外部記憶部３６７を備える。体重計部２と体脂肪計部３とを接続するカールコード４には、体重計部２の電流電極部２２１，２２２と体脂肪計部の定電流回路３６１とを接続する信号線と、体重計部２の電圧電極部２３１，２３２と体脂肪計部３の差動増幅回路３６３を接続する信号線と、体重計部２の電池収納部２４４、電源スイッチ２４５及びＡ／Ｄ変換器２４３と体脂肪計部３の制御・演算部３６５とを接続する信号線とが収容されている。
【００４５】
このような構成を有する健康管理指針アドバイス装置１を用いた測定方法を以下に説明する。
【００４６】
使用者は、体重計部２に設けられた電源スイッチ２４５を操作することにより、電源を投入する。使用者は、身長、年齢、性別等の測定者の身体を特定する身体特定化情報を体脂肪計部３に設けられたボタン等の操作部３６６を用いて入力する。これらの情報の全部又は一部をメモリ番号等に対応付けて予め記憶させておき、メモリ番号等を入力することにより記憶された情報を呼び出して使用するようにしてもよい。使用者は体重計部２の上面部２１１に載り、体重を測定する。このとき、上面部２１１に設けられた電流電極部２２１，２２２をつま先側の足裏に接触させ、電圧電極部２３１，２３２を踵側の足裏に接触させる。体脂肪計部３は、両手でそれぞれグリップ部３２１，３２２を握り、使用者の胴にほぼ直交するように前方に腕を伸ばす。このとき、親指と人差し指の間の股部を電流電極部３３１，３３２に接触させ、手掌部を電圧電極部３４１，３４２に接触させる。電流電極部２２１，２２２，３３１，３３２を介して測定者の身体に電流を印加し、この印加電流によって生じる抵抗電位を電圧電極部２３１，２３２，３４１，３４２を通じて検出する。このようにして、検出された身体のインピーダンスと、体重計部２によって測定された体重及び身体特定化情報に基づいて体脂肪率，体脂肪量，除脂肪量等の健康管理に有益な情報を算出する。体脂肪量等の算出には、公知の方法を使用することができる。また、このとき、身体に印加される電流の流路は、適宜選択・設定することができる。例えば、体脂肪計部３の左右の電流電極部３２１，３２２及び電圧電極部３３１，３３２をそれぞれ短絡し、体重計部２の左右の電流電極部２２１，２２２及び電圧電極部２３１，２３２を同様にそれぞれ短絡することにより、両手両足間の身体インピーダンスを測定し、全身の体脂肪率等をより正確に算出することができる。体脂肪計部３及び体重計部２の左右の電極をそれぞれ独立させ、電流を印加する電流電極部と電圧を検出する電圧電極部との組み合わせをさまざまに切り替えるように異なる身体部位のインピーダンスを測定したり、これらの測定値を用いて身体バランス等の別異の情報の算出に利用するようにしてもよい。このようにして測定、算出された情報あるいは設定に必要な情報等は、基部の前面に配置された表示部３１１に表示されるので、使用者が手元で確認することができる。
【００４７】
以下に、健康管理指針アドバイス装置１の各部の構成について詳細に説明する。
【００４８】
まず、体脂肪計部３の収納構造について説明する。
【００４９】
図５は体重計部２を前側の構成を示す斜視図であり、図６は左側面図である。
【００５０】
カールコード４を収納するためのコード収納部２１２は、体重計部２のトップカバー２１の裏面側に形成された略直方体形状の空間である。コード収納部２１２は、体重計部２の前側面２１３の中央に開設された開口部２１４によって外部と連通している。体重計部２の上面部２１１の前側には、図１に示すように体脂肪計部３の基部３１の外形にほぼ沿った形状に切り欠かれた切欠部２１５が形成されている。切欠部２１５の左右両側には、体重計部２の上面部２１１が前方に張り出した張出部（挟持手段）２１３１，２１３２が形成されている。図６に示すように、張出部２１３１，２１３２は上方に若干反り上がるように形成されており、体脂肪計部３が装着された状態では図に示すようにグリップ部３２１，３２２の上方を一部覆うようになっている。張出部２１３１と前側面２１３との間には、複数にリブ２１３３が形成されている（張出部２１３２側についても同様である。）リブ２１３３は略三角形の板状をなし、リブ２１３３の斜面の一部はグリップ部３２１,３２２の外形にならう曲線形状に形成されている。
【００５１】
開口部２１４において、切欠部２１５の下方に位置するコード収納部底面２１６から体重計部２の前方へと張り出して体脂肪計部３を支持する支持部（支持手段）２１７を形成している。支持部２１７の前方の縁部２１７１は上方に隆起し、体脂肪計部３の外形に沿う形状に湾曲している。この縁部２１７１と体重計部２の前側面２１３及びリブ２１３３とによって体脂肪計３は前後方向に確実に支持される。
【００５２】
支持部２１７は、コード収納部底面２１６から縁部２１７１へ向けて上方へ傾斜している。すなわち、体重計部２のトップカバー２１の延長方向と支持部２１７との間隔が縁部２１７１側に向けて狭くなるように形成されている。収納された体脂肪計部３は、基部３１の下方に位置する支持部２１７と、グリップ部３２１,３２２の上方の一部を覆う張出部２１３１，２１３２との間に挟まれる。トップカバー２１の端部に設けられた張出部２１３１，２１３２と支持部２１７との間隔が縁部２１７１側に向けて狭くなるように形成されることによって、張出部２１３１,２１３２と支持部２１７から体脂肪計部３に対して互いに反対方向の力が作用する。従って、体脂肪計部３は張出部２１３１,２１３２と支持部２１７との間に挟み込まれ、より強固な嵌合状態を得ることができる。
【００５３】
体脂肪計部３を体重計部２に近づけるにつれてカールコード４は短くなり、支持部２１７上に堆積することとなるが、支持部２１７はコード収納部底面２１６に向けて低くなるように傾斜しているので、支持部２１７上のカールコード４はより低い底面２１６側へと移動する。従って、収納時にカールコード４を容易にコード収納部２１２側へと移動させることができる。
【００５４】
図２に示したように、健康管理指針アドバイス装置の体脂肪計部３は、左右のグリップ部３２１,３２２の間に、表示部３１１及び操作部３６６を備える基部３１を配した略左右対称な全体形状を有する。ここで、基部３１は、使用者がグリップ部３２１,３２２を握る測定姿勢において、下方、すなわち体重計部側に突出する形状をなす。また、突出する基部３１の下端部３１２の中央部から、カールコード４が引き出されている。
【００５５】
このようにカールコード４が引き出される基部３１を下方に突出する形状とすることにより、体脂肪計部３を収納する際に基部３１でカールコード４を押し込むことができるので、カールコード４を簡便に収納することができる。
【００５６】
さらに、基部３１の下端部３１２の中央部からカールコード４を引き出しているので、測定時に伸長されたカールコード４の引っ張り力は、ほぼ鉛直下方に作用する。このため、水平に保持される体脂肪計部３に対する引っ張り力が、左右いずれかの下方に傾いて作用することによって測定姿勢を不安定化させる、という問題が生じることもない。従って、測定姿勢の安定した保持が可能となり、測定の安定性を向上させることができる。体脂肪計部３と体重計部２とを接続するカールコード４の引っ張り力を緩くすることにより測定姿勢の不安定化を防止することもできるが、この場合にはカールコード４の収納性や耐久性が低下し、好ましくない。このようにカールコード４から体脂肪計部３に対して所定の引っ張り力が作用することを勘案すれば、カールコード４を基部３１の中央から引き出す構成を採用することによって、引っ張り力の作用位置及び方向を適切に設定することができる。
【００５７】
また、図１に示す収納された状態にある体脂肪計部３を体重計部２から取り外し、図２に示すように体脂肪計部３を保持して測定姿勢をとり、再び体脂肪計部３を体重計部２に収納するという使用時の動作における、体重計部２に対する体脂肪計部３の姿勢について以下に説明する。
【００５８】
体脂肪計部３は、体重計部２の前部の収納部に表示部３１１が上方に向き、左右のグリップ部３２１,３２２が体重計部２の前方の左側及び右側にそれぞれ位置する状態で収納されている。この体脂肪計部３のグリップ部３２１,３２２をそれぞれ左右の手で掴んで体重計部２から取り外す。取り外された体脂肪計部３をそのまま身体前方の所定位置まで持ち上げ、表示部３１１を身体前面に対向させ、グリップ部３２１,３２２を左右の手で握った状態で測定を行う。測定終了後はそのまま体脂肪計部３を下して体重計部２の前部の支持部２１７に収納する。
【００５９】
このように使用時において、体脂肪計部３は表示部３１１が常に使用者側に向く状態にある。カールコード４を基準とすると、その巻き方向又はその逆方向に体脂肪計部３が回転するような位置変化は、使用動作の間を通じて生じていない。従って、体脂肪計部３の脱着を繰り返してもカールコード４がねじれることはない。カールコード４がねじれてしまうと、カールコード４の全体長が変化して引っ張り力が大きくなり、グリップ部３２１,３２２又は体脂肪計部３があたかも重くなったかのような状態となる。このため体脂肪計部３を保持する測定姿勢が安定しなくなるとともに、カールコード４の収納も難しくなってしまう。一方、上述のようにカールコード４のねじれがないと、測定姿勢を安定させることができるとともに、カールコード４の収納性の低下を防止することができる。
【００６０】
（第２の実施形態）
以下、本発明の第２の実施形態に係る健康管理指針アドバイス装置１を示す。内部構造及び使用方法は第１の実施形態と同様であるので、説明を省略する。第１の実施形態と同様の構成については同様の符号を用いる。
【００６１】
図７（ａ）は体脂肪計部３に対するカールコード４の取付状態を示す側面図である。図７（ｂ）は体重計部２に対するカールコード４の取付状態を示し、体重計部２の前方から見た図である。
【００６２】
図７（ａ）は表示部３１１を上方に向け、グリップ部３２２側から見た状態を示す。カールコード４は、基部３１の下端面においてグロメット４１１を介して体脂肪計部３の内部と接続されている。カールコード４は、グロメット４１１から下端面３１６にほぼ直交する方向に引き出された直線部４１２を経て、下方へ湾曲し、以降、螺旋の中心が直線部より下方（表示部３１１とは反対側）に位置するように螺旋状に巻回されている。
【００６３】
図７（ｂ）は、中心線に対して右半分が体脂肪計部３が装着された状態を示し、左半分が体脂肪計部３が取り外された状態を示す。体重計部２においてコード収納部２１２に引き出されたカールコード４は、コード収納部２１２の側面に直交する方向に延びる直線部４２２を経て下方へ湾曲し、以降、螺旋の中心が直線部より下方に位置するように螺旋状に巻回されている。
【００６４】
このようにカールコード４を体脂肪計部３及び体重計部２の引き出し位置に対して下方へ巻くことにより、体脂肪計部３の収納部より低い位置にあるコード収納部２１２の底面上にカールコード４を容易に収納することができる。
【００６５】
図８は体重計部２の下側部材（外装部材）２２を上方から見た図である。カールコード４は、コード収納部２１２の側面２１２２の開口部２１４側に形成された断面Ｌ字状の凹部２１２３からグロメット４２１を介して引き出されている。凹部２１２３は開口部２１４側に、コード収納部２１２の奥側に向く側面２１２３ａを有し、カールコード４は、この側面２１２３ａからコード収納部２１２の奥側へと引き出される。引き出されたカールコード４は、コード収納部２１２の開口部２１４側から奥側へと延びる直線部４２２を経て、巻き部４３がコード収納部２１２の奥側の側面２１２４から反対側の側面２１２５に順に沿うように変形する。従って、カールコード４をコード収納部２１２内に容易に整然と収納することができる。また、体脂肪計部３を取り外してカールコード４を伸ばすときには、グロメット４２１に続く直線部４２２は引っ張られて湾曲するが、体脂肪計部３を収納する際にカールコード４が縮むと、カールコード４の引っ張り力が弱くなり、湾曲した直線部４２２に対して、直線状に復帰しようとする弾性力が作用する。この直線部４２２の弾性力によってカールコード４はコード収納部２１２の奥側へと引き込まれやすくなる。このように、カールコード４をコード収納部２１２の奥側に向けて引き出すのみならず、引き出し部分に直線部４２２を設けることにより、さらに使い勝手が向上する。
【００６６】
次に、コード収納部２１２に設けられた水抜き孔について説明する。
【００６７】
図９（ａ）は体重計部２の下側部材２２を上方から見た図であり、図９（ｂ）は体重計部２を下方から見た図である。
【００６８】
コード収納部２１２は、傾斜する支持部２１７に隣接して開口部２１４の奥に設けられている。立設された壁によって側方及び奥側を囲まれ、下方に湾曲する境界部２１８を経て支持部２１７よりも低く形成された略矩形の底面２１６とトップカバー２１との間に挟まれた領域がコード収納部２１２をなす。健康管理指針アドバイス装置１は、脱衣室等に設置され、あるいは風呂上りに使用されることにより、水滴の落下、飛散にさらされる可能性がある。支持部２１７に付着した水滴は、支持部２１７の傾斜によってコード収納部２１２側に流れ落ちる。コード収納部底面２１６の縁部の側面２１２２，２１２５の立上がり部分に側壁に沿って水抜き用孔２２１１〜２２１４を開設している。水抜き用孔２２１１〜２２１４は図９（ｂ）に示すように、体重計部２の下面に開口しているので、コード収納部２１２内に溜まった水は、この水抜き用孔２２１１〜２２１４を介して外部に排出されることとなる。従って、カールコード４が浸水することもない。
【００６９】
図１０は、変形例に係る下側部材２２の前後方向の断面を示す。
【００７０】
下側部材２２は、支持部２１７をコード収納部２１２側に向けて傾斜させるのみではなく、コード収納部２１２の底面２１６をも開口部２１４側から奥側に向けて低くなるように傾斜させたものである。このように、コード収納部２１２の底面２１６を傾斜させることにより、カールコード４は傾斜を利用して容易に奥側に移動するので、カールコード４の収納がさらに容易になる。また、支持部２１７から流下した水滴もコード収納部２１２の底面２１６上をさらに移動させ水抜き用孔２２１１〜２２１４に導くことができる。さらに、水抜き用孔を奥側にも設ければ、最下部にまで流下した水滴を排出することもできる。
【００７１】
図１１は、体重計部２の支持部２１７を拡大して示す側面図である。支持部２１７の中央の左右方向に窪みを形成して肉厚を減少させた肉厚調整部２１７３を設けている。支持部２１７を形成する樹脂材料に応じて、肉厚調整部の大きさ及び肉厚を調整することにより、支持部２１７の剛性を変化させ、体脂肪計部３の支持部２１７への嵌合力を調整することができる。
【００７２】
図１２は、下側部材２２の全体を示す外観斜視図である。
【００７３】
支持部２１７は、例えばポリプロピレンのような柔軟性を有する材料によって、下側部材２２と一体成型されている。支持部２１７を柔軟性を有する材料にて形成することによって、体脂肪計部３の脱着に際して良好な使用感が得られる。すなわち、図１３に示すように脱着の過程で支持部２１７及び縁部２１７１がそれぞれ下方及び前方に撓むので、体脂肪計部３を取り外し又は装着するための空間が広がり、容易に脱着することができる。
【００７４】
また、支持部２１７を下側部材２２と一体に設けることにより部品点数の削減が可能となる。この装置では、体重測定時にトップカバー２１にかかる荷重を、載置面に接地する四つの体重センサで受ける構成を採用している。従来は、体重センサを下側カバー上に設けており、トップカバーにかかる荷重を体重センサと下側カバーによって受ける構成を採用していたので、体重を正確に測定するために、剛性が要求され、変形によって嵌合力を付与する支持部２１７と下側カバーを同一材料にて一体成型することはできなかった。しかし、体重センサ２４１が下側部材２２に設けられた孔２２２１〜２２２４を介して直接載置面に設置する構成では、下側部材２２がトップカバー２１にかかる荷重を受ける必要がないので、上述のような柔軟性を有する材料による支持部２１７との一体構成を採用することができる。
【００７５】
ここで、体重計部２の支持部２１７及びコード収納部２１２の底面２１６に施された表面加工について説明する（図５参照）。体脂肪計部３を脱着する際にカールコード４はコード収納部２１２の底面２１６上及び支持部２１７の表面上を移動する。従って、被覆がポリウレタン等からなるカールコード４に対する摩擦抵抗を減少させるためにシボ加工等の表面加工（摩擦抵抗低減手段）を行うことにより、簡単かつすばやくカールコード４を移動させることができ収納性が向上する。図１４は支持部２１７及びコード収納部２１２の変形例を示す。カールコード４との摩擦抵抗を減少させるためにコード収納部２１２の底面及び支持部２１７の表面に前後方向に多数の溝（摩擦抵抗低減手段）２１６１を形成している。溝を設けることによりカールコード４との接触面積が減少するので、摩擦抵抗が減少する。このような溝幅はカールコード４の線径よりも小さいことが好ましい。
【００７６】
図１５は縁部２１７１を体重計部２の本体側から見た図である。縁部２１７１の体重計部側の側面から支持部２１７に至る斜辺を有する三角板形状のリブ（受け部）２１７２が設けられている。リブ２１７２は、縁部２１７１の左右に１つずつ対称的な位置に設けられている。装着された体脂肪計部３のグリップ部３２１,３２２を掴んで前方へ（縁部２１７１側へ）力を加えると、基部３１の上面と背面との間の角部がリブの斜辺２１７２ａに当接し、これを押圧する。前方（取り外し方向）と交差するリブの斜辺２１７２ａが基部３１からの押圧力を受けることにより、支持部２１７は下方に、縁部２１７１は外方にそれぞれ撓む。このため支持部２１７と体脂肪計部３との嵌合力が弱まり、容易に取り外すことができる。仮に、体脂肪計部３のグリップ部３２１,３２２のみを掴んで健康管理指針アドバイス装置１全体を持ち上げようとしても、体重計部２から体脂肪計部３が容易に外れるので、装置全体を持ち運ぶ途中で体重計部２のみが落下するのを防止することができる。リブ２１７２の個数は２つに限られず、左右方向に連続的に形成し斜面を構成するようにしてもよい。
【００７７】
本実施形態において説明した下側部材の構成は、第１の実施形態に係る健康管理指針アドバイス装置に対しても当然適用することができる。
【００７８】
なお、上述の実施形態では、四つの独立した体重センサ２４１を使用しているが、従来の体重計で、下部を二重底にしてコード収納部を設ける構造とし、本発明を適用することもできる。
【００７９】
【発明の効果】
以上説明したように本発明によれば、操作部の操作性及び表示部の視認性に優れるとともに収納性が高く、また、使い勝手が良く安定した測定が可能な健康管理指針アドバイス装置を提供することができる。
【図面の簡単な説明】
【図１】図１は本発明の実施形態に係る健康管理指針アドバイス装置の収納時の外観を示す図である。
【図２】図２は本発明の実施形態に係る健康管理指針アドバイス装置の使用時の外観を示す図である。
【図３】図３は本発明の実施形態に係る健康管理指針アドバイス装置におけるカールコードの収納状態を示す図である。
【図４】図４は本発明の実施形態に係る健康管理指針アドバイス装置の内部の回路構成を示すブロック図である。
【図５】図５は健康管理指針アドバイス装置の体重計部の前側の構成を示す斜視図である。
【図６】図６は健康管理指針アドバイス装置の体重計部の左側面図である。
【図７】図７（ａ），（ｂ）は本発明の第２の実施形態に係る健康管理指針アドバイス装置の体脂肪計部及び体重計部のそれぞれとカールコードとの接続状態を示す図である。
【図８】図８は本発明の第２の実施形態に係る健康管理指針アドバイス装置の体重計部とカールコードとの接続状態を示す図である。
【図９】図９（ａ）は第２の実施形態に係る健康管理指針アドバイス装置の体重計部に下側部材を示す斜視図であり、図９（ｂ）は同体重計部を下方から見た図である。
【図１０】図１０は体重計部の下側部材の変形例を示す図である。
【図１１】図１１は体重計部の支持部を拡大して示す図である。
【図１２】図１２は本発明の第２の実施形態に係る体重計部の下側部材の全体を示す斜視図である。
【図１３】図１３は体脂肪計部を脱着する際の支持部の変形状態を示す図である。
【図１４】図１４は変形例に係る支持部を示す図である。
【図１５】図１５は体重計部の支持部を本体側から見た図である。
【符号の説明】
１        健康管理指針アドバイス装置
２        体重計部
３        体脂肪計部
４        コード
２１      トップカバー
２２      下側部材
３１      基部
４３      巻き部
２１１    上面部
２１２    コード収納部
２１７    支持部
２２１，２２２，３３１，３３３  電流電極部
２３１，２３２，３４１，３４２  電圧電極部
２４１    体重センサ
３１１    表示部
３２１,３２２    グリップ部
３６５    制御・演算部
４２１,４２２    直線部
２１３１，２１３２    張出部
【図１】
0003815339.tif 000002
【図２】
0003815339.tif 000003
【図３】
0003815339.tif 000004
【図４】
0003815339.tif 000005
【図５】
0003815339.tif 000006
【図６】
0003815339.tif 000007
【図７】
0003815339.tif 000008
【図８】
0003815339.tif 000009
【図９】
0003815339.tif 000010
【図１０】
0003815339.tif 000011
【図１１】
0003815339.tif 000012
【図１２】
0003815339.tif 000013
【図１３】
0003815339.tif 000014
【図１４】
0003815339.tif 000015
【図１５】
0003815339.tif 000016